(57)【要約】【課題】  定着部材によってトナー画像が定着された用紙にループを形成した状態で、この用紙を定着部材から用紙案内部を通して排紙部材に送る場合に、用紙がガイド部材等に接触して画像ノイズが発生するのを防止する。【解決手段】  定着部材28によってトナー画像が定着された用紙Sを、この定着部材から用紙案内部4を通して排紙部材29に送るようにした画像形成装置1において、定着部材による用紙送り速度を排紙部材による用紙送り速度以上にし、定着部材と排紙部材との間において用紙にループを形成した状態で、この用紙を定着部材から用紙案内部を通して排紙部材に送ると共に、この用紙案内部に、前記の用紙を搬送させる搬送ベルト30を、用紙のループの凸部側に沿うように湾曲して設けた。【選択図】  図２
2015200759.tif 000002
【特許請求の範囲】
【請求項１】
定着部材によってトナー画像が定着された用紙を、この定着部材から用紙案内部を通して排紙部材に送るようにした画像形成装置において、定着部材による用紙送り速度を排紙部材による用紙送り速度以上にし、前記の定着部材と排紙部材との間の用紙案内部において用紙にループを形成した状態で、この用紙を定着部材から排紙部材に送るようにすると共に、前記の用紙案内部に、前記の用紙を搬送させる搬送ベルトを、用紙のループの凸部側に沿うように湾曲して設けたことを特徴とする画像形成装置。
【請求項２】
請求項１に記載の画像形成装置において、前記の搬送ベルトに無端ベルトを用い、ループが形成された用紙と対面する側における搬送ベルトの幅方向両側に湾曲用部材を設け、この湾曲用部材により、搬送ベルトを用紙のループの凸部側に沿うように湾曲させることを特徴とする画像形成装置。
【請求項３】
請求項２に記載の画像形成装置において、前記の湾曲用部材として、スプロケットを用いると共に、前記の搬送ベルトの幅方向両側の部分に、前記のスプロケットの歯と係合される係合穴を設けたことを特徴とする画像形成装置。
【請求項４】
請求項２に記載の画像形成装置において、前記の湾曲用部材として、大径のストッパー部を有するコロ部材を用いると共に、前記の搬送ベルトの幅方向両側の部分に、前記のコロ部材におけるストッパー部を係止させる係止凸条を設けたことを特徴とする画像形成装置。
【請求項５】
請求項２〜請求項４の何れか１項に記載の画像形成装置において、搬送ベルトの幅方向両側に設けた湾曲用部材を搬送ベルトの幅方向外方に付勢する付勢部材を設け、この付勢部材により前記の湾曲用部材を介して、前記の搬送ベルトを幅方向外方に引っ張るようにしたことを特徴とする画像形成装置。
【請求項６】
請求項３に記載の画像形成装置において、前記のスプロケットに設ける歯の外面側を、歯の先端部から搬送ベルトの幅方向外方に傾斜するように設けたことを特徴とする画像形成装置。
【発明の詳細な説明】
【技術分野】
【０００１】
本発明は、定着部材によってトナー画像が定着された用紙を、この定着部材から用紙案内部を通して排紙部材に送るようにした画像形成装置に関するものである。特に、定着部材による用紙送り速度を排紙部材による用紙送り速度以上にして、前記の定着部材と排紙部材との間の用紙案内部において用紙にループを形成した状態で、この用紙を定着部材から排紙部材に送るにあたり、用紙がガイド部材等に接触して、用紙に形成された画像に画像ノイズ等が発生するのを防止するようにした点に特徴を有するものである。
【背景技術】
【０００２】
従来から、複写機，プリンター，ファクシミリ及びこれらの複合機等の画像形成装置においては、一般に、トナー画像が形成された用紙を定着部材に導き、この定着部材によりトナー画像を用紙に定着させた後、この用紙を定着部材から用紙案内部を通して排紙部材に導き、この排紙部材によりトナー画像が定着された用紙を排紙させるようにしている。
【０００３】
そして、このようにトナー画像が定着された用紙を定着部材から用紙案内部を通して排紙部材に送るにあたり、従来においては、用紙案内部に、用紙の搬送方向に沿ったリブ等のガイド部材を設け、トナー画像が定着された用紙を、このガイド部材に沿って定着部材から排紙部材に送るようにしていた。
【０００４】
しかし、このようにガイド部材に沿ってトナー画像が定着された用紙を定着部材から排紙部材に送るようにした場合、用紙においてトナー画像が定着された画像面がガイド部材に接触して、画像こすれ等の画像ノイズが発生することがあり、特に、トナー画像が定着された用紙を定着部材から排紙部材に導く用紙案内部が湾曲している場合において、定着部材による用紙送り速度よりも排紙部材による用紙送り速度が速くなると、前記の用紙が定着部材と排紙部材との間で引っ張られた状態になり、用紙が前記のガイド部材に強く押し付けられて、画像こすれ等の画像ノイズが多く発生するという問題があった。
【０００５】
そして、従来においては、特許文献１，２に示されるように、ガイド部材の湾曲部分にガイドローラーやコロを設け、このガイドローラーやコロを介して用紙を定着部材から排紙部材に導くようにしたものが提案されている。
【０００６】
しかし、このようにガイド部材の湾曲部分にガイドローラーやコロを設けた場合、定着部材から排紙部材に導かれる用紙の先端部が、このガイドローラーやコロに当たって用紙に皺が生じたり、用紙が排紙部材に適切に導かれなくなったりするという問題があった。
【０００７】
また、このように用紙を定着部材からガイドローラーやコロを介して用紙を定着部材から排紙部材に導くようにした場合においても、前記のように定着部材による用紙送り速度よりも排紙部材による用紙送り速度を速くして、用紙を定着部材と排紙部材との間で引っ張って状態で搬送させるようにすると、用紙が前記のガイドローラーやコロに強く押し付けられた状態で搬送されるようになり、依然として、画像こすれ等の画像ノイズが発生するという問題があった。
【０００８】
また、従来においては、定着部材による用紙送り速度を排紙部材による用紙送り速度以上にして、定着部材と排紙部材との間の用紙案内部において用紙にループを形成した状態で、用紙を定着部材から排紙部材に送るようにすることも行われている。
【０００９】
しかし、このように用紙案内部において用紙にループを形成した状態で、用紙を定着部材から排紙部材に送るようにした場合には、用紙のループの凸部側が用紙案内部に設けられたガイド部材に接触して、搬送される用紙に負荷が加わり、特に、用紙の両面にトナー画像を形成されている場合には、ループの凸部側の面に形成された画像面がガイド部材に接触して、画像こすれ等の画像ノイズが発生するという問題があった。
【００１０】
また、従来においては、特許文献３において、定着部材によりトナー画像が定着された用紙を排紙経路と反転経路とに切り替えて導くにあたり、排紙経路と反転経路の分岐点に、回転駆動される無端状のベルトを用いた切替ゲートを設けるようにしたものが示されている。
【００１１】
しかし、この特許文献３においては、前記のようにトナー画像が定着された用紙をガイド部材に沿って定着部材から排紙部材に送るようにした場合に、用紙においてトナー画像が定着された画像面がガイド部材に接触して、画像こすれ等の画像ノイズが発生するのを防止することについては一切示されておらず、このような問題を解決することはできないものであった。
【先行技術文献】
【特許文献】
【００１２】
【特許文献１】特開平９−１１４１５３号公報
【特許文献２】特開２００４−２３９９３７号公報
【特許文献３】特開２０１０−４７４１５号公報
【発明の概要】
【発明が解決しようとする課題】
【００１３】
本発明は、定着部材によってトナー画像が定着された用紙を、この定着部材から用紙案内部を通して排紙部材に送るようにした画像形成装置における前記のような問題を解決することを課題とするものである。
【００１４】
そして、本発明においては、定着部材による用紙送り速度を排紙部材による用紙送り速度以上にして、前記の定着部材と排紙部材との間の用紙案内部において用紙にループを形成した状態で、用紙を定着部材から排紙部材に送るようにした場合において、従来のように用紙がガイド部材等に接触して、用紙に形成された画像に画像ノイズが発生するのを防止することを課題とするものである。
【課題を解決するための手段】
【００１５】
本発明に係る画像形成装置においては、前記のような課題を解決するため、定着部材によってトナー画像が定着された用紙を、この定着部材から用紙案内部を通して排紙部材に送るようにした画像形成装置において、定着部材による用紙送り速度を排紙部材による用紙送り速度以上にし、前記の定着部材と排紙部材との間の用紙案内部において用紙にループを形成した状態で、この用紙を定着部材から排紙部材に送るようにすると共に、前記の用紙案内部に、前記の用紙を搬送させる搬送ベルトを、用紙のループの凸部側に沿うように湾曲して設けた。
【００１６】
このように、用紙を定着部材から排紙部材に送る用紙案内部に、用紙を搬送させる搬送ベルトを用紙のループの凸部側に沿うように湾曲して設けると、ループが形成された状態で用紙が、前記の搬送ベルトにより定着部材から排紙部材に適切に送られるようになる。
【００１７】
ここで、前記のように搬送ベルトを用紙のループの凸部側に沿うように湾曲して設けるにあたっては、前記の搬送ベルトに無端ベルトを用い、ループが形成された用紙と対面する側における搬送ベルトの幅方向両側に湾曲用部材を設け、この湾曲用部材により、搬送ベルトを用紙のループの凸部側に沿うように湾曲させるようにすることができる。
【００１８】
そして、前記のように搬送ベルトの幅方向両側に設けられた湾曲用部材によって、搬送ベルトを用紙のループの凸部側に沿うように湾曲させるにあたり、搬送ベルトにテンションをかけた場合に、搬送ベルトが中央部に引っ張られて、この搬送ベルトが湾曲用部材から外れるのを防止するため、前記の湾曲用部材にスプロケットを用いると共に、前記の搬送ベルトの幅方向両側の部分に、前記のスプロケットの歯と係合される係合穴を設けるようにすることができる。また、前記の湾曲用部材に、大径のストッパー部を有するコロ部材を用いると共に、前記の搬送ベルトの幅方向両側の部分に、前記のコロ部材におけるストッパー部を係止させる係止凸条を設けたものを用いるようにすることができる。
【００１９】
また、前記のように搬送ベルトを用紙のループの凸部側に沿うように湾曲させる湾曲用部材を設けた場合において、搬送ベルトが幅方向に張った状態で維持されるようにするため、搬送ベルトの幅方向両側に設けた湾曲用部材を搬送ベルトの幅方向外方に付勢する付勢部材を設け、この付勢部材により前記の湾曲用部材を介して、前記の搬送ベルトを幅方向外方に引っ張るようにすることができる。
【００２０】
また、前記のように湾曲用部材にスプロケットを用いると共に、前記の搬送ベルトの幅方向両側の部分に、前記のスプロケットの歯と係合される係合穴を設けた場合においては、前記のスプロケットに設ける歯の外面側を、歯の先端部から搬送ベルトを幅方向外方に傾斜するように設けると、このスプロケットの歯に搬送ベルトに設けられた係合穴を係合させると、スプロケットの歯に係合された搬送ベルトにおける係合穴が、先端部から幅方向外方に傾斜したスプロケットの歯の外面側に沿って移動して、搬送ベルトが幅方向に引っ張られた状態になり、搬送ベルトが幅方向に張った状態で維持されるようになる。
【発明の効果】
【００２１】
本発明に係る画像形成装置においては、前記のようにトナー画像が定着された用紙を定着部材から排紙部材に送る用紙案内部に、搬送ベルトを用紙のループの凸部側に沿うように湾曲して設け、この搬送ベルトにより、ループが形成された状態で用紙を定着部材から排紙部材に送るようにしたため、従来のように、用紙においてトナー画像が定着された画像面がガイド部材に接触して、画像こすれ等の画像ノイズが発生するということがなく、トナー画像が定着された用紙が定着部材から排紙部材に適切に搬送されるようになる。
【図面の簡単な説明】
【００２２】
【図１】本発明の実施形態に係る画像形成装置において、トナー画像が定着された用紙を定着部材から排紙部材に導く用紙案内部に、搬送ベルトを用紙のループの凸部側に沿うように湾曲して設けた状態を示した概略説明図である。
【図２】本発明の実施形態に係る画像形成装置において、前記の用紙案内部に、搬送ベルトを湾曲用部材により用紙のループの凸部側に沿うように湾曲して設ける状態を示し、（Ａ）は概略側面図、（Ｂ）は湾曲用部材を設けた側から見た概略正面図である。
【図３】本発明の実施形態に係る画像形成装置において、前記の湾曲用部材にスプロケットを用いた例を示し、このスプロケットの歯を搬送ベルトの幅方向端部に設けられた係合穴に係合させて、搬送ベルトを用紙のループの凸部側に沿うように湾曲して設ける状態を示した概略斜視図である。
【図４】本発明の実施形態に係る画像形成装置において、湾曲用部材に用いた前記のスプロケットの回転軸を付勢部材により搬送ベルトの幅方向外方に付勢させて、搬送ベルトを幅方向に引っ張った状態を示した部分説明図である。
【図５】本発明の実施形態に係る画像形成装置において、（Ａ）はスプロケットにおける歯の外面側を、先端部から搬送ベルトの幅方向外方に傾斜するように設けたスプロケットの概略側面図、（Ｂ）は前記のスプロケットの歯を搬送ベルトに設けられた係合穴に係合させて、搬送ベルトを幅方向外方に引っ張る状態を示した部分説明図である。
【図６】本発明の実施形態に係る画像形成装置において、前記の湾曲用部材に大径のストッパー部を有するコロ部材を用いた例を示し、このコロ部材におけるストッパー部を搬送ベルトの幅方向端部に設けられた係止凸条に係止させて、搬送ベルトを用紙のループの凸部側に沿うように湾曲して設ける状態を示した概略斜視図である。
【図７】本発明の実施形態に係る画像形成装置において、湾曲用部材に用いた大径のストッパー部を有するコロ部材の回転軸を付勢部材により搬送ベルトの幅方向外方に付勢させて、搬送ベルトを幅方向に引っ張った状態を示した部分説明図である。
【発明を実施するための最良の形態】
【００２３】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２４】
この実施形態の画像形成装置１においては、図１に示すように、その内部に、黒色のトナーを用いて画像形成を行う黒色のイメージングユニット１０Ｋと、シアン色のトナーを用いて画像形成を行うシアン色のイメージングユニット１０Ｃと、マゼンタ色のトナーを用いて画像形成を行うマゼンタ色のイメージングユニット１０Ｍと、黄色のトナーを用いて画像形成を行う黄色のイメージングユニット１０Ｙとからなる４つのイメージングユニット１０Ｋ，１０Ｃ，１０Ｍ，１０Ｙを装着させている。
【００２５】
また、前記の各イメージングユニット１０Ｋ，１０Ｃ，１０Ｍ，１０Ｙにおいては、感光体１１と、この感光体１１の表面を帯電させる帯電装置１２と、帯電された感光体１１の表面に画像情報に応じた露光を行って感光体１１の表面に静電潜像を形成する潜像形成装置１３と、感光体１１の表面に形成された静電潜像にトナーを供給してトナー画像を形成する現像装置１４と、感光体１１の表面に形成されたトナー画像を後述する中間転写ベルト２１に転写させた後に、この感光体１１の表面に残留するトナー等の残留物を除去する第１クリーニング装置１５を設けている。
【００２６】
そして、この画像形成装置１においては、前記の各イメージングカートリッジ１０Ｋ，１０Ｃ，１０Ｍ，１０Ｙにおいて、それぞれ感光体１１の表面を帯電装置１２によって帯電させ、このように帯電された各感光体１１の表面にそれぞれ潜像形成装置１３によって画像情報に応じた露光を行い、各感光体１１の表面にそれぞれ画像情報に応じた静電潜像を形成し、各感光体１１の表面に形成された静電潜像に、前記の各現像装置１４からそれぞれの色彩のトナーを供給して、各感光体１１の表面にそれぞれの色彩のトナー画像を形成するようにしている。
【００２７】
次いで、各イメージングユニット１０Ｋ，１０Ｃ，１０Ｍ，１０Ｙにおける各感光体１１の表面に形成された各色彩のトナー画像を、駆動ローラー２２ａと回転ローラー２２ｂに架け渡されて回転駆動される中間転写ベルト２１を介して対向する各一次転写ローラー２３の位置に導いて、各感光体１１の表面に形成された各色彩のトナー画像を、それぞれ一次転写ローラー２３により中間転写ベルト２１に順々に転写させて、この中間転写ベルト２１の上に各色彩のトナー画像を重畳させるようにしている。なお、前記のように各感光体１１の表面に形成されたトナー画像を中間転写ベルト２１に一次転写させた後、各感光体１１の表面に残留するトナー等の残留物は、それぞれ前記の第１クリーニング装置１５によって除去するようにしている。
【００２８】
そして、前記のように中間転写ベルト２１の上に重畳された各色彩のトナー画像を、二次転写ローラー２４と対向する位置に導くようにしている。
【００２９】
一方、この画像形成装置１内の底部に、用紙Ｓを積層させて収容させた給紙カセット２を設け、この給紙カセット２内に収容された用紙Ｓを押上板２ａにより押し上げ、押し上げられた用紙Ｓを、ピックアップローラー２５ａにより給紙カセット２から引き出して、給紙ローラー２５ｂと捌きローラー２５ｃとの間に導き、この給紙ローラー２５ｂと捌きローラー２５ｃとの間を通して１枚の用紙Ｓを、一対のタイミングローラー２６間に導くようにしている。
【００３０】
そして、前記のタイミングローラー２６により、用紙Ｓを適当なタイミングで前記の中間転写ベルト２１と二次転写ローラー２４との間に導き、中間転写ベルト２１上に形成されたトナー画像を、二次転写ローラー２４により用紙Ｓに転写させるようにしている。なお、用紙Ｓに転写されずに中間転写ベルト２１上に残ったトナー等の残留物は、第２クリーニング装置２７によって中間転写ベルト２１から除去させるようにしている。
【００３１】
次いで、前記のようにトナー画像が転写された用紙Ｓを加熱ローラー２８ａと加圧ローラー２８ｂとが対向して設けられた定着部材２８に導き、前記の加熱ローラー２８ａと加圧ローラー２８ｂとの間において、前記のトナー画像を用紙Ｓに加熱定着させた後、トナー画像が定着された用紙Ｓを、用紙案内部３を通して一対の排紙ローラー２９からなる排紙部材２９に導き、この排紙部材２９によりトナー画像が定着された用紙Ｓを排紙部４に排紙させるようにしている。
【００３２】
ここで、この実施形態における画像形成装置１においては、前記の定着部材２８による用紙送り速度を排紙部材２９による用紙送り速度以上にし、前記の定着部材２８と排紙部材２９との間において用紙Ｓにループを形成した状態で、この用紙Ｓを定着部材２８から用紙案内部３を通して排紙部材２９に送るようにしている。
【００３３】
そして、この実施形態においては、前記の用紙案内部３において、用紙Ｓのループの凸部側に沿うように湾曲した搬送ベルト３０を設け、この搬送ベルト３０により、ループが形成された状態で用紙Ｓを定着部材２８から用紙案内部３を通して排紙部材２９に送るようにしている。
【００３４】
ここで、ループが形成された状態で用紙Ｓを、搬送ベルト３０により定着部材２８から用紙案内部３を通して排紙部材２９に送るにあたっては、この搬送ベルト３０を回転装置（図示せず）により回転駆動させるようにする他、用紙Ｓとの摩擦力によって搬送ベルト３０が回転駆動されるようにすることもできる。
【００３５】
そして、このようにループが形成された状態で用紙Ｓを、搬送ベルト３０により定着部材２８から用紙案内部３を通して排紙部材２９に送るようにすると、従来のように、用紙Ｓにおいてトナー画像が定着された画像面がガイド部材等に接触して、画像こすれ等の画像ノイズが発生するということがなく、用紙Ｓが定着部材２８から排紙部材２９に適切に搬送されるようになる。
【００３６】
ここで、前記のように搬送ベルト３０を用紙Ｓのループの凸部側に沿うように湾曲して設けるにあたっては、図２（Ａ），（Ｂ）に示すように、搬送ベルト３０に無端ベルトを用い、この搬送ベルト３０を複数（図に示す例では３つ）のローラー部材３１ａ，３１ｂ，３１ｃに架け渡すと共に、ループが形成された用紙Ｓと対面する側における搬送ベルト３０の幅方向両側にコロ等の湾曲用部材４０を設け、この湾曲用部材４０により、搬送ベルト３０を用紙Ｓのループの凸部側に沿うように湾曲させるようにし、この両側の湾曲用部材４０の間における搬送ベルト３０の部分に沿って用紙Ｓを搬送させるようにすることができる。
【００３７】
そして、このように搬送ベルト３０の幅方向両側に湾曲用部材４０を設け、この湾曲用部材４０により、搬送ベルト３０を用紙Ｓのループの凸部側に沿うように湾曲させた場合において、この搬送ベルト３０にテンションをかけると、搬送ベルト３０が中央部に引っ張られて、この搬送ベルト３０が両側の湾曲用部材４０から外れるおそれがある。
【００３８】
このため、図３に示すように、前記の湾曲用部材４０にスプロケット４１を用いると共に、前記の搬送ベルト３０の幅方向両側の部分に、前記のスプロケット４１の歯４１ａに係合される係合穴３２を設けたものを用い、搬送ベルト３０の幅方向両側に設けられた各スプロケット４１の歯４１ａを、搬送ベルト３０の幅方向両側の部分に設けられた係合穴３２に係合させ、搬送ベルト３０が両側のスプロケット４１から外れないようにして、搬送ベルト３０を回転駆動させるようにすることができる。
【００３９】
また、このように搬送ベルト３０の幅方向両側に設けられた各スプロケット４１の歯４１ａを、搬送ベルト３０の幅方向両側の部分に設けられた係合穴３２に係合させて、搬送ベルト３０を回転駆動させるにあたり、搬送ベルト３０を幅方向に張った状態で維持させるため、図４に示すように、スプロケット４１の回転軸４１ｂを回転可能に保持する保持枠４２にバネからなる付勢部材４３を設け、この付勢部材４３によりスプロケット４１を搬送ベルト３０の幅方向外方に付勢させて、搬送ベルト３０を幅方向に張った状態にすることができる。
【００４０】
また、搬送ベルト３０を幅方向に張った状態で維持させるため、図５（Ａ），（Ｂ）に示すように、前記のスプロケット４１の歯４１ａの外面側を、先端部から搬送ベルト３０の幅方向外方に傾斜するように設け、このスプロケット４１の歯４１ａに、搬送ベルト３０に設けられた係合穴３２に係合させた場合に、搬送ベルト３０の幅方向外方に傾斜したスプロケット４１の歯４１ａの外面側に沿って、搬送ベルト３０が幅方向外方に引っ張られるようにすることもできる。
【００４１】
また、搬送ベルト３０が両側の湾曲用部材４０から外れるのを防止するため、図６（Ａ），（Ｂ）に示すように、前記の湾曲用部材４０として、大径のストッパー部４４ａを有するコロ部材４４を用いると共に、前記の搬送ベルト３０の幅方向両側の部分に、前記のコロ部材４４におけるストッパー部４４ａを係止させる係止凸条３３を周方向に設けたものを用い、搬送ベルト３０の幅方向両側に設けられた各コロ部材４４におけるストッパー部４４ａを、搬送ベルト３０の幅方向両側の部分に設けられた係止凸条３３に係止させ、搬送ベルト３０が両側のコロ部材４４から外れないようにして、搬送ベルト３０を回転駆動させるようにすることができる。
【００４２】
そして、このように搬送ベルト３０の幅方向両側に設けられた各コロ部材４４におけるストッパー部４４ａを、搬送ベルト３０の幅方向両側の部分に設けられた係止凸条３３に係止させて、搬送ベルト３０を回転駆動させるようにしたものにおいても、搬送ベルト３０を幅方向に張った状態で維持させるため、図７に示すように、コロ部材４４の回転軸４４ａを回転可能に保持する保持枠４２にバネからなる付勢部材４３を設け、この付勢部材４３によりコロ部材４４を搬送ベルト３０の幅方向外方に付勢させて、搬送ベルト３０を幅方向に張った状態にすることができる。
【符号の説明】
【００４３】
１  画像形成装置
２  給紙カセット、２ａ  押上板
３  用紙案内部
４  排紙部
１０Ａ〜１０Ｄ  イメージングカートリッジ
１１  感光体
１２  帯電装置
１３  露光装置
１４  現像装置
１５  クリーニング装置
２１  中間転写ベルト
２２ａ  駆動ローラー、２２ｂ  回転ローラー
２３  一次転写ローラー
２４  二次転写ローラー
２５ａ  ピックアップローラー、２５ｂ  給紙ローラー、２５ｃ  捌きローラー
２６  タイミングローラー
２７  第２クリーニング装置
２８  定着部材、２８ａ  加熱ローラー、２８ｂ  加圧ローラー
２９  排紙ローラー（排紙部材）
３０  搬送ベルト
３１ａ，３１ｂ，３１ｃ  ローラー部材
３２  係合穴
３３  係止凸条
４０  湾曲用部材
４１  スプロケット（湾曲用部材）、４１ａ  歯、４１ｂ  回転軸
４２  保持枠
４３  付勢部材
４４  コロ部材（湾曲用部材）、４４ａ  ストッパー部、４４ｂ  回転軸
Ｓ  用紙
【図１】
2015200759.tif 000003
【図２】
2015200759.tif 000004
【図３】
2015200759.tif 000005
【図４】
2015200759.tif 000006
【図５】
2015200759.tif 000007
【図６】
2015200759.tif 000008
【図７】
2015200759.tif 000009